(57)【要約】【課題】風防板を保持するため所定の剛性を維持しつつ、風防板への応力伝達を抑制することが可能であるとともに傷の付き難いベゼルを有する携帯型の電子機器を提供する。【解決手段】ケース（トップケース３０）と、ケースの外縁側にあり、ケースに取り付けられているリング状のベゼル７５と、ベゼルの内側にある風防板７１と、を備え、ベゼルは、ケースと嵌合しているリング状の第１部材（ベゼル本体部７３）と、第１部材よりも軟らかく、風防板を保持している第２部材（ベゼル表示板７４）と、を含む携帯型の電子機器。【選択図】図４
2018004553.tif 000002
【特許請求の範囲】
【請求項１】
ケースと、
前記ケースの外縁側にあり、前記ケースに取り付けられているリング状のベゼルと、
前記ベゼルの内側にある風防板と、
を備え、
前記ベゼルは、
前記ケースと嵌合しているリング状の第１部材と、
前記第１部材よりも軟らかく、前記風防板を保持している第２部材と、
を含む、
携帯型の電子機器。
【請求項２】
請求項１において、
前記第２部材は、前記第１部材よりも縦弾性率およびせん断弾性率の少なくとも何れかが小さい、
携帯型の電子機器。
【請求項３】
請求項１または請求項２において、
前記第２部材は、樹脂製である、
携帯型の電子機器。
【請求項４】
請求項１ないし請求項３のいずれか一項において、
前記第２部材は、透光性を有し、前記ケース側の面に、表示マークが設けられている、
携帯型の電子機器。
【請求項５】
請求項４において、
前記表示マークは、文字、記号、目盛、および模様の少なくとも何れかを含む、
携帯型の電子機器。
【請求項６】
請求項１ないし請求項５のいずれか一項において、
前記第２部材は、前記風防板側に張り出している庇部があり、
前記庇部が前記風防板に接している、
携帯型の電子機器。
【請求項７】
請求項１ないし請求項６のいずれか一項において、
前記ケースは、前記第１部材と対向する側に凹部が設けられ、
前記凹部に前記第１部材の少なくとも一部が挿入されている、
携帯型の電子機器。
【請求項８】
請求項１ないし請求項７のいずれか一項において、
前記ケースの内側に、前記風防板と対向して配置されている表示部と、
前記表示部に光を照射する光源と、
を備え、
前記第１部材には、前記光源側から前記第２部材側に貫通する導光孔が設けられ、
前記光源から射出された光が、前記導光孔を介して前記第２部材に照射される、
携帯型の電子機器。
【請求項９】
請求項８において、
リング状であって、前記風防板および前記表示部よりも縦弾性率およびせん断弾性率の少なくとも何れかが小さい第３部材を備え、
前記第３部材は、前記風防板と前記表示部との間の、前記風防板の外縁側に配置されている、
携帯型の電子機器。
【請求項１０】
請求項９において、
前記第３部材は、樹脂製である、
携帯型の電子機器。
【請求項１１】
請求項９または請求項１０において、
前記第３部材は、前記風防板側から視認可能な前記表示マークを備えている、
携帯型の電子機器。
【請求項１２】
請求項１０または請求項１１において、
前記表示部の平面視で前記第３部材と重なる領域、および前記第３部材は、透光性を有し、
前記光源から射出された光が、前記領域を介して前記第３部材に照射される、
携帯型の電子機器。
【発明の詳細な説明】
【技術分野】
【０００１】
本発明は、携帯型の電子機器に関する。
【背景技術】
【０００２】
近年、センシング技術の向上により、腕時計型の活動計（携帯型の電子機器の一例）が各社から多く商品化されてきている。このような腕時計型の活動計としては、バンド等によって手首等の部位（被検体）に装着され、例えばＧＰＳ（Global Positioning System）を用いた位置情報を表示することが可能なリスタブル・ＧＰＳ機器が開示されている（例えば、特許文献１参照）。
【０００３】
また、腕時計型の活動計（携帯型の電子機器の一例）では、装飾性を高め、デザインバリエーションの拡大などデザイン性を向上させながら風防板を保持するベゼルを備える構造が知られている（例えば、特許文献２参照）。
【先行技術文献】
【特許文献】
【０００４】
【特許文献１】米国特許第９２５７７４０号明細書
【特許文献２】特開２００７−１３２８７６号公報
【発明の概要】
【発明が解決しようとする課題】
【０００５】
ところで、上述のような腕時計型の活動計（携帯型の電子機器）のベゼルは、風防板を保持するため所定の剛性が必要とされるが、例えば金属などを用いて剛性を高めると、ケースやベゼルの受ける外部衝撃などが風防板に伝わり易く、この衝撃によって風防板に損傷を生じてしまう虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る携帯型の電子機器は、ケースと、前記ケースの外縁側にあり、前記ケースに取り付けられているリング状のベゼルと、前記ベゼルの内側にある風防板と、を備え、前記ベゼルは、前記ケースと嵌合しているリング状の第１部材と、前記第１部材よりも軟らかく、前記風防板を保持している第２部材と、を含む。
【０００８】
本適用例によれば、第１部材よりも軟らかい第２部材が風防板を保持している。これにより、ケース側からベゼルを介して風防板に伝わる衝撃が、風防板とケースとの間に配置された第２部材の軟らかさによって吸収され、風防板に生じる損傷を低減することができる。また、ベゼルを構成する第１部材よって、ベゼルの強度を確保することができ、衝撃を緩衝させながら風防板を保持することができる。
【０００９】
［適用例２］上記適用例に記載の携帯型の電子機器において、前記第２部材は、前記第１部材よりも縦弾性率およびせん断弾性率の少なくとも何れかが小さいことが好ましい。
【００１０】
本適用例によれば、第２部材が風防板よりも縦弾性率、およびせん断弾性率少なくとも何れかが小さいことから、ケース側からベゼルを介して風防板に伝わる衝撃が、風防板とケースとの間に配置された第２部材を歪ませることで生じる粘弾性損失によって減衰（緩衝）され、風防板に生じる損傷を抑制することができる
【００１１】
［適用例３］上記適用例に記載の携帯型の電子機器において、前記第２部材は、樹脂製であることが好ましい。
【００１２】
本適用例によれば、例えば樹脂製の第２部材を紫外線などによって成形硬化することができる。このように、第２部材の成形を容易にすることができ、且つデザインの多様化にも容易に対応することができる。
【００１３】
［適用例４］上記適用例に記載の携帯型の電子機器において、前記第２部材は、透光性を有し、前記ケース側の面に、表示マークが設けられていることが好ましい。
【００１４】
ベゼルは、表面に近いケースの外縁部に配置されているため、ユーザーに装着された場合に、外部に当たったり擦れたりし易く、傷を生じたりすることが多いが、本適用例によれば、ベゼルの表示マークが第２部材のケース側の面、即ち表面に露出しない側に設けられるため、例えばベゼルに損傷を受けても、表示マークが消えたり、脱落したりすることを低減することができる。
【００１５】
［適用例５］上記適用例に記載の携帯型の電子機器において、前記表示マークは、文字、記号、目盛、および模様の少なくとも何れかを含むことが好ましい。
【００１６】
本適用例によれば、表示部の外縁側の領域に配置されているリング状のベゼルにおいて、機能的に有用な、文字、記号、目盛、および模様などを設けることができるとともに、例えば、色や色調を変化させるなどデザイン性を向上させることができる。
【００１７】
［適用例６］上記適用例に記載の携帯型の電子機器において、前記第２部材は、前記風防板側に張り出している庇部があり、前記庇部が前記風防板に接していることが好ましい。
【００１８】
本適用例によれば、風防板側に張り出した庇部によって、確実に風防板と第２部材とを当接させることができる。換言すれば、庇部が設けられることにより、風防板が他の構成部位と接触することを防ぐことができる。
【００１９】
［適用例７］上記適用例に記載の携帯型の電子機器において、前記ケースは、前記第１部材と対向する側に凹部が設けられ、前記凹部に前記第１部材の少なくとも一部が挿入されていることが好ましい。
【００２０】
本適用例によれば、凹部に第１部材を挿入することにより、第１部材の配設を容易に行うことができるとともに、ケースに対するベゼル（第１部材）の位置合わせを容易に行うことができる。
【００２１】
［適用例８］上記適用例に記載の携帯型の電子機器において、前記ケースの内側に、前記風防板と対向して配置されている表示部と、前記表示部に光を照射する光源と、を備え、前記第１部材には、前記光源側から前記第２部材側に貫通する導光孔が設けられ、前記光源から射出された光が、前記導光孔を介して前記第２部材に照射されることが好ましい。
【００２２】
本適用例によれば、導光孔を介して第２部材に照射された光源の光が、透光性を有する第２部材を透過することによって、風防板側から見た第２部材もしくは第２部材の表示マークが明るく光るため、暗い状態であっても、表示マークの視認性を向上させることができる。
【００２３】
［適用例９］上記適用例に記載の携帯型の電子機器において、リング状であって、前記風防板および前記表示部よりも縦弾性率、およびせん断弾性率の少なくとも何れかが小さい第３部材を備え、前記第３部材は、前記風防板と前記表示部との間の、前記風防板の外縁側に配置されていることが好ましい。
【００２４】
本適用例によれば、外縁側の風防板と表示部との間に、風防板および表示部よりも縦弾性率、およびせん断弾性率少なくとも何れかが小さい第３部材が配置されている。これにより、風防板と表示部との間に生じる応力が、風防板と表示部との間に配置された第３部材を歪ませることで生じる粘弾性損失によって減衰（緩衝）され、風防板および表示部の応力による損傷を抑制することができる。
【００２５】
［適用例１０］上記適用例に記載の携帯型の電子機器において、前記第３部材は、樹脂製であることが好ましい。
【００２６】
本適用例によれば、例えば樹脂製の第３部材を紫外線などによって成形硬化を行うことができるため、第３部材の成形を容易にすることができ、且つデザインの多様化にも容易に対応することができる。
【００２７】
［適用例１１］上記適用例に記載の携帯型の電子機器において、前記第３部材は、前記風防板側から視認可能な前記表示マークを備えていることが好ましい。
【００２８】
本適用例によれば、第３部材に表示マークを設けることにより、機能的に有用な、文字、記号、目盛、および模様などを設けることができるとともに、例えば、色調を変化させるなどデザイン性を向上させることができる。
【００２９】
［適用例１２］上記適用例に記載の携帯型の電子機器において、前記表示部の平面視で前記第３部材と重なる領域、および前記第３部材は、透光性を有し、前記光源から射出された光が前記領域を介して前記第３部材に照射されることが好ましい。
【００３０】
本適用例によれば、表示部の第３部材と重なる領域を介して第３部材に照射された光源の光が、透光性を有する第３部材を透過することによって、風防板側から見た第３部材もしくは第３部材の表示マークが明るく光るため、暗い状態であっても、表示マークの視認性を向上させることができる。
【図面の簡単な説明】
【００３１】
【図１】携帯型の電子機器の第１実施形態に係るリスト機器の表面側斜視図。
【図２】第１実施形態に係るリスト機器の平面図。
【図３】第１実施形態に係るリスト機器の概略構成を示す分解斜視図。
【図４】図２のＡ−Ａ断面による部分断面図。
【図５Ａ】第１実施形態に係るリスト機器のベゼル表示板の表示例を示す図５ＢのＰ視図。
【図５Ｂ】ベゼル表示板を示す図５ＡのＢ−Ｂ断面図。
【図６Ａ】第１実施形態に係るリスト機器のベゼルを示す平面図。
【図６Ｂ】ベゼルの変形例を示す平面図。
【図７Ａ】第３部材としての見切り板の表示例を示す図７ＢのＱ視図。
【図７Ｂ】見切り板を示す図７ＡのＣ−Ｃ断面図。
【図８】携帯型の電子機器の第２実施形態に係るリスト機器の部分断面図。
【図９】携帯型の電子機器の第３実施形態に係るリスト機器の部分断面図。
【図１０Ａ】応用例１の表示例を示すリスト機器の平面図。
【図１０Ｂ】応用例１において、図１０Ａから変化した表示の状態を示す平面図。
【図１１Ａ】応用例２の表示例を示すリスト機器の平面図。
【図１１Ｂ】応用例２において、図１１Ａから変化した表示の状態を示す平面図。
【図１２Ａ】応用例３の表示例を示すリスト機器の平面図。
【図１２Ｂ】応用例３において、図１２Ａから変化した表示の状態を示す平面図。
【図１３Ａ】応用例４の表示例を示すリスト機器の平面図。
【図１３Ｂ】応用例４において、図１３Ａから変化した表示の状態を示す平面図。
【図１４Ａ】応用例５の表示例を示すリスト機器の平面図。
【図１４Ｂ】応用例５において、図１４Ａから変化した表示の状態を示す平面図。
【図１５Ａ】応用例６の表示例を示すリスト機器の平面図。
【図１５Ｂ】応用例６において、図１５Ａから変化した表示の状態を示す平面図。
【発明を実施するための形態】
【００３２】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３３】
（第１実施形態）
先ず、図１、および図２を参照して、本発明による携帯型の電子機器の第１実施形態に係るリスト機器の概要について説明する。図１は、携帯型の電子機器の第１実施形態に係るリスト機器の表面側斜視図である。図２は、第１実施形態に係るリスト機器の平面図である。なお、本明細書では、第１実施形態から第３実施形態、および変形例（応用例）において、説明の便宜上、リスト機器の表示面側を表（表側）、表示面とは反対側（装着時にユーザーに接する側）を裏（裏側）として説明することがある。
【００３４】
図１および図２に示すように、携帯型（ウェアラブル型）の電子機器の一例としてのリスト機器１は、ユーザー（装着者）の所与の部位（例えば、手首）に装着され、ユーザーの位置情報や運動情報などを検出することができる。リスト機器１は、ユーザーに装着されて位置情報や運動情報などを検出する機器本体１０と、機器本体１０に取り付けられ機器本体１０をユーザーに装着するための第１のバンド部３２および第２のバンド部３７と、を有する。なお、リスト機器１には、ユーザーの位置情報や運動情報に加えて、例えば脈波情報などの生体情報を検出する機能や時刻情報などを取得する機能を設けることができる。
【００３５】
機器本体１０は、ユーザーへの装着側にボトムケース３３が配置され、ユーザーへの装着側と反対側には、トップケース３０が配置されている。機器本体１０の表側（トップケース３０）には、ベゼル７５が設けられるとともに、このベゼル７５の内側にベゼル７５と並んで配置されて内部構造を保護する天板部分（外壁）としての風防板（本例ではガラス板）７１が設けられている。機器本体１０の表側（トップケース３０）の側面には、複数の操作ボタン８０，８１が設けられている。なお、本形態のベゼル７５は、第１部材としてのベゼル本体部７３と第２部材としてのベゼル表示板７４とが含まれている。また、ベゼル表示板７４には、表側から視認可能な表示が設けられていてもよく、本形態では、表示の一例としてベゼル表示部７６が配設されている。
【００３６】
また、機器本体１０は、風防板７１を介して、風防板７１の直下に設けられる液晶ディスプレイ（ＬＣＤ）などで構成される表示部７０の表示や風防板７１の外縁部分の風防板７１と表示部７０との間に設けられる第３部材としての見切り板７２の表示（例えば機能マーク７７）をユーザーが閲覧可能な構成としてもよい。つまり本実施形態のリスト機器１では、検出した位置情報や運動情報、或いは時刻情報等の種々の情報を表示部７０に表示し、当該表示を機器本体１０のトップ側からユーザーに提示するものであってもよい。また、ボトムケース３３の両側には、第１のバンド部３２および第２のバンド部３７との接続部である一対のバンド装着部（不図示）が設けられている。
【００３７】
なお、機器本体１０の天板部分の風防板７１は、ガラス板に限らず、表示部７０を閲覧可能な透明部材であり、表示部７０を構成する液晶ディスプレイ（ＬＣＤ）などのトップケース３０とボトムケース３３の内部（図４に示す内部空間３６）に含まれる構成を保護可能な程度の強度を有する部材であれば、透明のプラスチックなど、ガラス以外の材料とすることができる。
【００３８】
次に、図３、および図４を参照して、リスト機器１のうちの機器本体１０の断面構造について、その構成例を説明する。図３は、第１実施形態に係るリスト機器の概略構成を示す分解斜視図である。図４は、第１実施形態に係るリスト機器の概略構成を示す、図２のＡ−Ａ断面による部分断面図である。
【００３９】
機器本体１０は、図４に示すように、トップケース３０とボトムケース３３（図１参照）と風防板７１とに囲まれた内部空間３６が設けられている。そして、この内部空間３６に、表示部７０や光源６０が配置されている。なお、図示しないが、内部空間３６には、リスト機器１を構成する要素部品である、例えば回路基板、ＧＰＳ（Global Positioning System）アンテナ、気圧センサーや地磁気センサーなどのセンサー部品、および二次電池などが収納されている。
【００４０】
機器本体１０は、図３および図４に示すように、トップケース３０の内側に突出する突起部３４に表示部７０が載置されている。そして、表示部７０の表側には、トップケース３０の第２壁部３１ｂに沿ってリング状の見切り板７２が載置されている。また、表示部７０の裏側には、表示部７０のバックライトとしての機能を含む光源６０が配置されている。
【００４１】
表示部７０を構成する液晶ディスプレイ（ＬＣＤ）では、種々の検出モードに応じて、例えば、ＧＰＳや地磁気センサーを用いた位置情報、移動量や角速度センサーや加速度センサーなどを用いた運動量などの運動情報、脈波センサーなどを用いた脈拍数などの生体情報、もしくは現在時刻などの時刻情報などが表示される。そして、この表示は、風防板７１を介してユーザーが閲覧（視認）することができる。
【００４２】
また、機器本体１０は、トップケース３０の外縁側に位置し、表側に向かって開口する周状の凹部３１を有している。凹部３１の外周側および内周側には壁部が構成され、外周側に設けられた第１壁部３１ａ、および内周側に設けられた第２壁部３１ｂを含んでいる。凹部３１には、第１部材としてのベゼル本体部７３（ベゼル７５）の少なくとも一部が挿入され、固着されている。このように、凹部３１にベゼル本体部７３（ベゼル７５）を挿入することにより、トップケース３０に対するベゼル本体部７３（ベゼル７５）の位置合わせを容易に行うことができる。また、トップケース３０の外縁側には、表示部７０や光源６０に対向する位置から、ベゼル本体部７３側である凹部３１を含む面に貫通する導光孔３５が設けられている。
【００４３】
ベゼル本体部７３の表側には、外周側に壁部を有するベゼル凹部７８が設けられている。ベゼル凹部７８には、壁部に一方端を当接させた状態で、第２部材としてのリング状のベゼル表示板７４が載置されている。また、ベゼル本体部７３には、トップケース３０の外縁側に設けられた導光孔３５に対向する位置からベゼル凹部７８に貫通する導光孔７９が設けられている。このトップケース３０の外縁側に設けられた導光孔３５とベゼル本体部７３に設けられた導光孔７９とにより、表示部７０のバックライトとしての機能を含む光源６０から射出された光ＢＬを、ベゼル表示板７４に照射することができる。
【００４４】
ベゼル本体部７３に取り付けられているベゼル表示板７４は、ベゼル本体部７３側から風防板７１側に張り出している庇部７４ａがある。なお、ベゼル表示板７４の庇部７４ａは、トップケース３０内周側の第２壁部３１ｂの頂部に当接されてもよい。ベゼル表示板７４は、ベゼル本体部７３よりも柔らかい質で構成されるが、ベゼル本体部７３に加えて、前述のトップケース３０の第２壁部３１ｂの頂部にベゼル表示板７４の庇部７４ａが当接されることにより、重力による庇部７４ａの垂れ下がりを低減することができる。また、後述するように縦弾性率（ヤング率Ｅ）、およびせん断弾性率（剛性率Ｇ）の少なくとも何れかが小さな弾力性を有する材質で構成されることが好ましい。
【００４５】
ベゼル本体部７３から張り出すベゼル表示板７４の庇部７４ａの内周面（内側面）側には、風防板７１が配置されている。風防板７１は、ベゼル表示板７４の庇部７４ａの内側面に当接し、且つ裏面側の外縁部分が見切り板７２に当接するように配置され、ベゼル表示板７４に接続されている。換言すれば、見切り板７２は、風防板７１と表示部７０との間の、風防板７１の外縁側（表示部７０の外縁側）に配置されている。
【００４６】
上述のように、ベゼル７５によって、風防板７１が機器本体１０（トップケース３０）から脱落しないように保持しなければならないため、ベゼル７５には、この保持力に耐え得る剛性（強度）が必要とされる。しかしながら、ベゼル７５の剛性（強度）が高過ぎると、トップケース３０やベゼル７５に外部などから衝撃を受けた場合などに、この衝撃が風防板７１にそのまま伝わり易く、この衝撃によって、割れ易い薄板状のガラスなどで構成される風防板７１に割れやクラックなどの損傷を生じてしまう虞があった。
【００４７】
これらに対応するため本形態では、図４に示すように、剛性を有するベゼル本体部７３と、ベゼル本体部７３よりも硬度が軟らかい、換言すれば弾力性を有するベゼル表示板７４と、を重ねて接続した構成でベゼル７５が構成されている。また、ベゼル表示板７４は、ベゼル本体部７３よりも縦弾性率（ヤング率Ｅ）およびせん断弾性率（剛性率Ｇ）の少なくとも何れかが小さいことが好ましい。
【００４８】
なお、縦弾性率（ヤング率Ｅ）が、材料の引張り試験で容易に測定できるのに比べ、せん断弾性率（剛性率Ｇ）は、直接測定しにくい値であるが、ヤング率Ｅおよびポアソン比νとの間に、次に示す式（１）の関係があり、この式（１）によってせん断弾性率（剛性率Ｇ）を求めることができる。
せん断弾性率（Ｇ＝［Ｅ／｛２（１＋ν）｝］）…（１）
【００４９】
上述のベゼル７５において、ベゼル本体部７３は、例えば真鍮（黄銅）材やステンレス材などの金属表面にメッキ処理を施した構成が用いられる。ここで、例示した真鍮（黄銅）材の縦弾性率（ヤング率Ｅ）は、１１０（ＧＰａ）であり、せん断弾性率（剛性率Ｇ）は、４１（ＧＰａ）である。また、ステンレス材の縦弾性率（ヤング率Ｅ）は、２００〜２１０（ＧＰａ）程度であり、せん断弾性率（剛性率Ｇ）は、７７〜８４（ＧＰａ）程度である。
【００５０】
また、ベゼル表示板７４は、例えばウレタンアクリレート、アクリル樹脂アクリレート、エポキシアクリレートなどの紫外線硬化型の樹脂材（樹脂製の部材）が用いられる。なお、硬化された前述の樹脂材は、光透過性（透明）を有し、光を透過することができる。このような樹脂材、例えばウレタンアクリレートの縦弾性率（ヤング率Ｅ）は、０．８（ＧＰａ）程度であり、ポアソン比νが０．３５である。即ち、第２部材としてのベゼル表示板７４を構成する樹脂材のせん断弾性率（剛性率Ｇ）は、上記式（Ｇ＝［Ｅ／｛２（１＋ν）｝］）…（１）から、Ｇ＝０．３０（ＧＰａ）が求められる。また、例えばアクリル樹脂アクリレートの縦弾性率（ヤング率Ｅ）は、３．２（ＧＰａ）程度であり、ポアソン比νが０．３５である。即ち、第２部材としてのベゼル表示板７４を構成する樹脂材のせん断弾性率（剛性率Ｇ）は、上記式（Ｇ＝［Ｅ／｛２（１＋ν）｝］）…（１）から、Ｇ＝１．１９（ＧＰａ）が求められる。このように、第２部材としてのベゼル表示板７４の縦弾性率（ヤング率Ｅ）、およびせん断弾性率が、第１部材としてのベゼル本体部７３の縦弾性率（ヤング率Ｅ）、およびせん断弾性率（剛性率Ｇ）よりも小さいとする関係を十分に満たしている。
【００５１】
このような樹脂製のベゼル表示板７４とすることにより、例えば紫外線などによって成形硬化を行うことができるため、ベゼル表示板７４の成形を容易にすることができ、且つデザインの多様化にも容易に対応することができる。
【００５２】
また、上述のように、第１部材としてのベゼル本体部７３よりも縦弾性率、およびせん断弾性率の小さな第２部材としてのベゼル表示板７４と、風防板７１とが当接する。これにより、ケース（トップケース３０）側からベゼル７５を介して風防板７１に伝わる衝撃が、風防板７１とケースとの間に配置されたベゼル表示板７４を歪ませることで生じる粘弾性損失によって減衰（緩衝）され、風防板７１に生じる虞のある損傷を抑止することができる。また、ベゼル７５を構成するベゼル本体部７３よって、ベゼル７５の強度（剛性）を確保することができ、衝撃を緩衝させながら風防板７１をケース（トップケース３０）に確実に保持することができる。
【００５３】
ベゼル７５（ベゼル表示板７４）には、金属質感や立体感などの装飾性を高めたり、微細な文字やマーク、目盛や模様などの機能表示や装飾表示を行ったりすることがある。ここで、図５Ａおよび図５Ｂを参照して、ベゼル表示板７４の表示について説明する。図５Ａは、第１実施形態に係るリスト機器のベゼル表示板の表示例を示し、ベゼル表示板の一部を表側から見た図であり、図５ＢのＰ視図（部分図）である。図５Ｂは、ベゼル表示板を示す図５ＡのＢ−Ｂ断面図である。
【００５４】
ベゼル表示板７４のベゼル本体部７３側の面（トップケース３０側の面）である裏面７４ｒには、図５Ａおよび図５Ｂに示すように、表示マークとしてのベゼル表示部７６が設けられている。ベゼル表示部７６には、例えば文字７６ａ、記号（絵文字）７６ｂ、および目盛７６ｃなどを設けることができる。なお、ベゼル表示部７６には、文字７６ａ、記号（絵文字）７６ｂ、および目盛７６ｃの少なくとも一つが設けられていればよい。また、ベゼル表示部７６には、デザイン性を高めるために色調を変えたり模様を形成したりすることとしてもよい。ベゼル表示板７４は、前述したように透光性を有した樹脂製であるので、裏面７４ｒ側にベゼル表示部７６を設けても、表面７４ｆ側からベゼル表示部７６を視認することができる。
【００５５】
ベゼル表示部７６は、例えばスクリーン印刷装置やインクジェットプリンターなどの裏面印刷（描画）法などを用いて形成される文字７６ａや記号７６ｂを表す表示パターン９０によって構成することができる。なお、ベゼル表示部７６（表示パターン９０）は、エッチング法を用いて形成することも可能である。表示パターン９０は、例えばインクなどで形成する遮光部９１や半透明部（不図示）などと、これらの形成されない透光部９２を含む。遮光部９１や半透明部（不図示）は、インクの色や色調を変えたりすることによって模様や色デザインを表現することができる。
【００５６】
ベゼル７５（ベゼル表示板７４）は、表面に近いトップケース３０の外縁部に露出して配置されているため、ユーザー（装着者）に装着された場合に、外部の物体に当たったり擦れたりし易く、これによる抉れや擦り傷などによって、文字７６ａ、記号（絵文字）７６ｂ、および目盛７６ｃなどの判読が困難になることを防止することができる。
【００５７】
また、表示部７０の外縁側の領域に配置されているリング状のベゼル７５において、機能的に有用な、文字７６ａ、記号７６ｂ、目盛７６ｃ、および模様（不図示）などを設けることができるとともに、例えば色や色調を変化させるなどデザイン性を向上させることができる。
【００５８】
なお、図１に示されているように、ベゼル７５は、機器本体１０の表面側のトップケース３０の外縁部に配置されているため、ユーザーに装着された場合に、外部位に当たったり擦れたりし易く、傷を生じたりすることが多い。
【００５９】
これに対し本形態のように、表示マークとしてのベゼル表示部７６が、裏面印刷としてベゼル表示板７４のベゼル本体部７３側（トップケース３０側）の面である裏面７４ｒ、即ち表面７４ｆ側に露出しない面に設けられる。したがって、露出しているベゼル７５（ベゼル表示板７４）の表面７４ｆに傷や抉れなどの損傷を受けても、表示マークが消えたり、脱落したりすることを低減することができる。なお、本形態で説明したベゼル表示板７４を構成する、例えばウレタンアクリレート、アクリル樹脂アクリレート、エポキシアクリレートなどの紫外線硬化型の樹脂材（樹脂製の部材）は耐擦過性が良好であり、表面７４ｆへの傷や抉れが起こり難い。
【００６０】
なお、図４では、ベゼル７５を構成するベゼル表示板７４の表側の面と、風防板７１の表側の面とが、同一平面を構成する例を示しているが、必ずしも同一平面でなくてもよい。例えば、風防板７１の表側の面がベゼル表示板７４の表側の面よりも突出している例でもよいし、もしくは風防板７１の表側の面がベゼル表示板７４の表側の面よりも凹んでいる例でもよい。また、ベゼル表示板７４の表側の面、および風防板７１の表側の面は、平面であってもよいし、円弧状の膨らみを有する、所謂球面であってもよい。
【００６１】
また、ベゼル本体部７３には、内部空間３６側（光源６０側）からベゼル凹部７８の底面（第２部材としての見切り板７２側）に貫通する導光孔７９が設けられている。更に、導光孔７９と対向する位置のトップケース３０にも、ベゼル本体部７３側と内部空間３６側とを貫通する導光孔３５が設けられている。そして、導光孔３５の内部空間３６側には、光源６０が配置されており、光源６０から射出された光ＢＬは、導光孔３５、および導光孔７９を介してベゼル表示板７４に照射される。
【００６２】
ベゼル表示板７４は、透光性を有する樹脂製であることから、光源６０から射出された光ＢＬが、導光孔３５および導光孔７９を介してベゼル表示板７４に照射されると、透光部９２や半透明部（不図示）では、光ＢＬが通過（透過）する。また、遮光部９１の部分では、照射された光ＢＬが遮られる。したがって、機器本体１０の表面側からベゼル表示板７４を見ると、透光部９２や半透明部の部分のみ、通過光（光ＢＬ）を視認することができ、光ＢＬを通さない遮光部９１とのコントラストが際立つことになる。
【００６３】
なお、半透明部（不図示）は、透光部９２と比し、透過する光量が少ないため、透光部９２よりも、やや暗く光ることになる。また、光源６０の光ＢＬにより、透光部９２や半透明部で構成された表示マークは明るく光るため、暗い状態であっても、表示マークを視認することができる。このように、暗部での表示マークの視認性を向上させることができる。また、例えば色や色調を変化させるなどデザイン性の向上も図ることができる。
【００６４】
なお、表示パターン９０では、文字７６ａ、記号７６ｂ、および目盛７６ｃの部分を透光部９２としたり、遮光部９１としたりすることができる。つまり、文字７６ａ、記号７６ｂ、および目盛７６ｃを透光部９２とすれば、文字７６ａ、記号７６ｂ、および目盛７６ｃが光り、文字７６ａ、記号７６ｂ、および目盛７６ｃを遮光部９１とすれば、文字７６ａ、記号７６ｂ、および目盛７６ｃ以外の部分が光ることになる。
【００６５】
上述した第１実施形態に係るベゼル７５は、図６Ａに示すように、ベゼル本体部７３およびベゼル表示板７４のそれぞれが円周に沿ったリング状をなしている。なお、図６Ａは、第１実施形態に係るリスト機器のベゼルを示す平面図である。
【００６６】
これに対し、図６Ｂには、ベゼル７５の変形例を示している。図６Ｂは、ベゼルの変形例を示す平面図である。図６Ｂに示されているように、変形例に係るベゼル７５ａは、ベゼル本体部７３の表側に載置されるベゼル表示板７４が、第１ベゼル表示板７４ｂと、第２ベゼル表示板７４ｃとに分離された２ピース構造とされている。ここで、ベゼル本体部７３は、第１実施形態と同様に、円周に沿ったリング状をなしている。変形例の第１ベゼル表示板７４ｂ、および第２ベゼル表示板７４ｃは、第１実施形態と同様な円周に沿ったリングの一部が分離され、平面視で、その分離されている部分（領域）にはベゼル本体部７３のベゼル凹部７８が露出している。このような、変形例に係るベゼル７５ａにおいても、第１実施形態のベゼル７５と同様に、風防板７１（図４参照）の保持や表示マークとしてのベゼル表示部７６（図５Ａ参照）の形成を行うことができる。
【００６７】
第３部材としての見切り板７２は、風防板７１の直下に設けられる表示部７０と、風防板７１の外縁部分の風防板７１との間に設けられている。見切り板７２は、それぞれが割れやすい材質（脆性材）で構成される風防板７１と表示部７０との間に配置されるため、外部衝撃などを緩衝する機能を有することが好ましい。また、見切り板７２は、表示機能やデザイン性の観点から、光透過性を有していることが好ましい。
【００６８】
これに対応するため、見切り板７２は、風防板７１の外縁に沿ったリング状であり、風防板７１および表示部７０よりも縦弾性率、およびせん断弾性率の小さな材料によって構成される。このような見切り板７２には、前述したベゼル７５のベゼル表示板７４と同様に、例えばウレタンアクリレート、アクリル樹脂アクリレート、エポキシアクリレートなどの紫外線硬化型の透明な樹脂材（樹脂製の部材）が用いられることが望ましい。
【００６９】
なお、見切り板７２は、図７Ｂに示すように、表面７２ｆが裏面７２ｒに対して傾斜する斜面となる断面形状としてもよい。または、図示しないが、表面７２ｆと裏面７２ｒとが並行する四辺形の断面形状でもよい。
【００７０】
風防板７１および表示部７０は、それぞれがガラス材を基体として用いることが一般的である。ガラス材の縦弾性率（ヤング率Ｅ）は、７０〜８０（ＧＰａ）程度であり、ポアソン比νが０．１７である。即ち、ガラス材のせん断弾性率（剛性率Ｇ）は、上記式（Ｇ＝［Ｅ／｛２（１＋ν）｝］）…（１）から、Ｇ＝２０〜２４（ＧＰａ）が求められる。また、硬化された前述の樹脂材、例えばウレタンアクリレートで形成された見切り板７２の縦弾性率（ヤング率Ｅ）は、上述のように、０．８（ＧＰａ）程度であり、せん断弾性率（剛性率Ｇ）は、Ｇ＝０．３０（ＧＰａ）である。また、例えばアクリル樹脂アクリレートを用いた場合、その縦弾性率（ヤング率Ｅ）は、縦弾性率（ヤング率Ｅ）は、せん断弾性率（剛性率Ｇ）は、Ｇ＝１．１９（ＧＰａ）である。このように、第３部材としての見切り板７２の縦弾性率（ヤング率Ｅ）、およびせん断弾性率（剛性率Ｇ）は、風防板７１および表示部７０の縦弾性率（ヤング率Ｅ）、およびせん断弾性率（剛性率Ｇ）よりも小さいとする関係を十分に満たしている。
【００７１】
このような樹脂製の見切り板７２とすることにより、見切り板７２の形成を、例えば紫外線などによる成形硬化によって行うことができるため、見切り板７２の成形を容易に行うことができ、且つデザインの多様化にも容易に対応することができる。
【００７２】
また、上述のように、外縁側の風防板７１と表示部７０との間に、風防板７１および表示部７０よりも縦弾性率、およびせん断弾性率の小さな第３部材としての見切り板７２を配置することにより、風防板７１と表示部７０との間に生じる応力が、見切り板７２を歪ませることで生じる粘弾性損失によって減衰（緩衝）され、風防板７１および表示部７０の応力による損傷を抑制することができる。
【００７３】
ここで、図７Ａおよび図７Ｂを参照して、見切り板７２の表示について説明する。図７Ａは、第１実施形態に係るリスト機器の見切り板の表示例を示し、見切り板の一部を表側から見た図であり、図７ＢのＱ視図（部分図）である。図７Ｂは、見切り板を示す図７ＡのＣ−Ｃ断面図である。
【００７４】
見切り板７２の表示部７０側の面である裏面７２ｒには、図７Ａおよび図７Ｂに示すように、表示マークとしての機能マーク７７が設けられている。機能マーク７７には、例えば文字７７ａ、記号（絵文字）７７ｂ、および不図示の目盛などを含むことができる。なお、機能マーク７７には、文字７７ａ、記号（絵文字）７７ｂ、および目盛（不図示）の少なくとも一つが設けられていればよい。また、機能マーク７７には、色調を変えたり模様を形成したりすることとしてもよい。見切り板７２は、前述したように透光性を有した樹脂製であるので、裏面７２ｒ側に機能マーク７７を設けても、表面７２ｆ側（風防板７１側）から機能マーク７７を視認することができる。
【００７５】
機能マーク７７は、例えばスクリーン印刷装置やインクジェットプリンターなどの裏面印刷（描画）法などを用いて形成される文字７７ａや記号７７ｂを表す表示パターン９３によって構成することができる。なお、機能マーク７７（表示パターン９３）は、エッチング法を用いて形成することも可能である。表示パターン９３は、例えばインクなどで形成する遮光部９１や半透明部（不図示）などと、これらの形成されない透光部９２を含む。遮光部９１や半透明部は、インクの色や色調を変えたりすることによって模様や色デザインを表現することができる。
【００７６】
見切り板７２は、表示部７０と、風防板７１の外縁部分との間に設けられている。そして、平面視で見切り板７２と重なる位置の表示部７０は、透光性を有している。これにより、見切り板７２には、表示部７０の光源６０から射出され、表示部７０を透過した光を照射することができる。見切り板７２は、透光性を有する樹脂製であることから、表示部７０を透過した光が照射されると、透光部９２や半透明部（不図示）では、光が通過する。また、遮光部９１の部分では、照射された光が遮られる。
【００７７】
したがって、風防板７１側から見ると、透光部９２や半透明部（不図示）の部分のみ、通過光を視認することができ、遮光部９１とのコントラストが際立つことになる。なお、半透明部（不図示）は、透光部９２と比し、透過する光量が少ないため、透光部９２よりも、やや暗く光ることになる。また、光源６０の光により、透光部９２や半透明部（不図示）で構成された表示マークは明るく光るため、暗い状態であっても、表示マークを視認することができる。このように、暗部での表示マークの視認性を向上させることができる。また、例えば色や色調を変化させるなどデザイン性の向上も図ることができる。
【００７８】
なお、表示パターン９３では、文字７７ａや記号７７ｂの部分を透光部９２としたり、遮光部９１としたりすることができる。つまり、文字７７ａや記号７７ｂを透光部９２とすれば、文字７７ａや記号７７ｂが光り、文字７７ａや記号７７ｂを遮光部９１とすれば、文字７７ａや記号７７ｂ以外の部分が光ることになる。
【００７９】
上述した携帯型（ウェアラブル型）の電子機器の第１実施形態に係るリスト機器１によれば、機器本体１０を構成するベゼル７５が、第１部材としてのベゼル本体部７３と、ベゼル本体部７３よりも縦弾性率、およびせん断弾性率の小さな第２部材としてのベゼル表示板７４とを含む。そして、ベゼル表示板７４と風防板７１とが当接することによって、ケース（トップケース３０）に風防板７１を保持する。これにより、ケース（トップケース３０）側からベゼル７５を介して風防板７１に伝わる衝撃が、風防板７１とケースとの間に配置されたベゼル表示板７４を歪ませることで生じる粘弾性損失によって減衰（緩衝）され、風防板７１に生じる虞のある損傷を抑止することができる。また、ベゼル７５を構成するベゼル本体部７３よって、ベゼル７５の強度（剛性）を確保することができ、衝撃を緩衝させながら風防板７１をケース（トップケース３０）に確実に保持することができる。
【００８０】
また、ベゼル表示板７４のベゼル本体部７３側（トップケース３０側）の面である裏面７４ｒには、裏面印刷により表示マークとしてのベゼル表示部７６が設けられている。このように裏面印刷によりベゼル表示部７６が設けられることにより、ユーザーに装着された場合に、外部位に当たったり擦れたりし易く、傷を生じたりすることが多いベゼル７５（ベゼル表示板７４）の露出している表面７４ｆに傷や抉れなどの損傷を受けても、表示マークが消えたり、脱落したりすることを防止することができる。
【００８１】
また、トップケース３０の外縁側に設けられた導光孔３５とベゼル本体部７３に設けられた導光孔７９とにより、光源６０から射出された光ＢＬを、ベゼル表示板７４に照射することができる。ベゼル表示板７４および見切り板７２は、透光性を有する樹脂製であることから、照射された光ＢＬによって、ベゼル表示板７４および見切り板７２に形成された表示マークを明るく光らせることができる。これにより、暗い状態での使用時にも、表示マークを視認することができる。また、表示マークを明るく光らせることにより、見映えのよい表示デザインを適用したり、表示デザインのバリエーションを広げたりすることができる。
【００８２】
（第２実施形態）
次に、図８を参照して、本発明の携帯型（ウェアラブル型）の電子機器の第２実施形態に係るリスト機器の構成について説明する。図８は、第２実施形態に係るリスト機器のうちの機器本体を示す部分断面図である。なお、以下の説明では、上述した第１実施形態と同様な構成について、同符号を付し、その説明を省略することがある。
【００８３】
図８に示すように、携帯型（ウェアラブル型）の電子機器の第２実施形態に係るリスト機器の機器本体１０Ａは、上述の第１実施形態の機器本体１０と比し、図４に示す第１実施形態の機器本体１０において表示部７０の表側に設けられているリング状の見切り板７２が載置されていないところが異なっており、他の構成は同様である。
【００８４】
機器本体１０Ａは、図８に示すように、トップケース３０の内側に突出する突起部３４に表示部７０が載置されている。また、表示部７０の裏側には、表示部７０のバックライトとしての機能を含む光源６０が配置されている。
【００８５】
表示部７０を構成する液晶ディスプレイ（ＬＣＤ）では、種々の検出モードに応じて、例えば、位置情報、移動量や運動量などの運動情報、脈拍数などの生体情報、もしくは現在時刻などの時刻情報などが表示される。そして、この表示は、風防板７１を介してユーザーが閲覧（視認）することができる。
【００８６】
また、機器本体１０Ａは、トップケース３０の外縁側に位置し、表側に向かって開口する周状の凹部３１を有している。凹部３１の外周側および内周側には壁部が構成され、外周側の第１壁部３１ａ、および内周側の第２壁部３１ｂを含んでいる。凹部３１には、第１部材としてのベゼル本体部７３（ベゼル７５）が挿入され、固着されている。また、トップケース３０の外縁側には、表示部７０や光源６０に対向する位置から、ベゼル本体部７３側である凹部３１を含む面に貫通する導光孔３５が設けられている。
【００８７】
ベゼル本体部７３の表側には、外周側に壁部を有するベゼル凹部７８が設けられている。ベゼル凹部７８には、第２部材としてのベゼル表示板７４が載置されている。ベゼル本体部７３には、トップケース３０の外縁側に設けられた導光孔３５に対向する位置からベゼル凹部７８に貫通する導光孔７９が設けられている。このトップケース３０の外縁側に設けられた導光孔３５とベゼル本体部７３に設けられた導光孔７９とにより、表示部７０のバックライトとしての機能を含む光源６０から射出された光ＢＬを、ベゼル表示板７４に照射することができる。
【００８８】
ベゼル表示板７４は、ベゼル本体部７３から風防板７１側に張り出す庇部７４ａを有してベゼル本体部７３に固着されている。なお、ベゼル表示板７４の庇部７４ａは、トップケース３０内周側の第２壁部３１ｂの頂部に当接されてもよい。ベゼル表示板７４は、前述の第１実施形態で説明したように、縦弾性率（ヤング率Ｅ）、およびせん断弾性率（剛性率Ｇ）の小さな弾力性を有する材質で構成されるが、ベゼル本体部７３に加えて、前述のトップケース３０内周側の第２壁部３１ｂの頂部にベゼル表示板７４の庇部７４ａが当接されることにより、重力による庇部７４ａの垂れ下がりを防止することができる。
【００８９】
ベゼル本体部７３から張り出すベゼル表示板７４の庇部７４ａの内周面側には、風防板７１が配置されている。風防板７１は、ベゼル表示板７４の庇部７４ａの内周面に当接し、且つ裏面側の外縁部分が、突起部３４と反対側（風防板７１側）のトップケース３０に設けられた段部３８に載置されている。
【００９０】
上述のように、風防板７１が、トップケース３０に設けられた段部３８に載置され、加えてベゼル７５のベゼル表示板７４によって機器本体１０Ａ（トップケース３０）に保持される構成であっても、風防板７１を機器本体１０Ａ（トップケース３０）から脱落しないように保持することができる。このような構成においても、上述と同様に、ベゼル本体部７３よりも縦弾性率、およびせん断弾性率の小さなベゼル表示板７４と、風防板７１とが当接する。これにより、ケース（トップケース３０）側からベゼル７５を介して風防板７１に伝わる衝撃が、風防板７１とケースとの間に配置されたベゼル表示板７４を歪ませることで生じる粘弾性損失によって減衰（緩衝）され、風防板７１に生じる虞のある損傷を抑止することができる。また、ベゼル７５を構成するベゼル本体部７３よって、ベゼル７５の強度（剛性）を確保することができ、衝撃を緩衝させながら風防板７１をケース（トップケース３０）に確実に保持することができる。
【００９１】
（第３実施形態）
次に、図９を参照して、本発明の携帯型（ウェアラブル型）の電子機器の第３実施形態に係るリスト機器の構成について説明する。図９は、第３実施形態に係るリスト機器のうちの機器本体を示す部分断面図である。なお、以下の説明では、上述した第１実施形態と同様な構成について、同符号を付し、その説明を省略することがある。
【００９２】
図９に示すように、携帯型（ウェアラブル型）の電子機器の第３実施形態に係るリスト機器の機器本体１０Ｂは、上述の第１実施形態の機器本体１０と比し、図４に示した第１実施形態の機器本体１０において、トップケース３０の内周側の第２壁部３１ｂの頂部とベゼル表示板７４の庇部７４ａとの間に空間が設けられている。即ち、トップケース３０内周側の第２壁部３１ｂの頂部とベゼル表示板７４の庇部７４ａとが当接していないところが異なっており、他の構成は同様である。
【００９３】
機器本体１０Ｂは、図９に示すように、トップケース３０の内側に突出する突起部３４には、表示部７０が載置されている。また、表示部７０の裏側には、表示部７０のバックライトとしての機能を含む光源６０が配置されている。
【００９４】
表示部７０を構成する液晶ディスプレイ（ＬＣＤ）では、種々の検出モードに応じて、例えば、位置情報、移動量や運動量などの運動情報、脈拍数などの生体情報、もしくは現在時刻などの時刻情報などが表示される。そして、この表示は、風防板７１を介してユーザーが閲覧（視認）することができる。
【００９５】
また、機器本体１０Ｂは、トップケース３０の外縁側に位置し、表側に向かって開口する周状の凹部３１を有している。凹部３１の外周側および内周側には壁部が構成され、外周側の第１壁部３１ａ、内周側の第２壁部３１ｂを含んでいる。凹部３１には、第１部材としてのベゼル本体部７３（ベゼル７５）が挿入され、固着されている。また、トップケース３０の外縁側には、表示部７０や光源６０に対向する位置から、ベゼル本体部７３側である凹部３１を含む面に貫通する導光孔３５が設けられている。
【００９６】
ベゼル本体部７３の表側には、外周側に壁部を有するベゼル凹部７８が設けられている。ベゼル凹部７８には、第２部材としてのベゼル表示板７４が載置されている。ベゼル本体部７３には、トップケース３０の外縁側に設けられた導光孔３５に対向する位置からベゼル凹部７８に貫通する導光孔７９が設けられている。このトップケース３０の外縁側に設けられた導光孔３５とベゼル本体部７３に設けられた導光孔７９とにより、表示部７０のバックライトとしての機能を含む光源６０から射出された光ＢＬを、ベゼル表示板７４に照射することができる。
【００９７】
ベゼル表示板７４は、ベゼル本体部７３から風防板７１側に張り出す庇部７４ａを有してベゼル本体部７３に固着されている。ベゼル本体部７３から張り出すベゼル表示板７４の庇部７４ａの内周面側には、風防板７１が並んで配置されている。風防板７１は、ベゼル表示板７４の庇部７４ａの内周面に当接し、且つ裏面側の外縁部分が、見切り板７２ｂに当接されている。
【００９８】
また、本実施形態では、トップケース３０の内周側の第２壁部３１ｂの頂部とベゼル表示板７４の庇部７４ａとが当接せず、トップケース３０の内周側の第２壁部３１ｂの頂部とベゼル表示板７４の庇部７４ａとの間に空間Ｓが設けられている。このような空間Ｓが設けられていることにより、ベゼル表示板７４には、導光孔３５と導光孔７９とを通過した光ＢＬ１に加えて、光透過性を有する表示部７０および見切り板７２ｂを通過した光ＢＬ２が空間Ｓを介して照射されることになる。
【００９９】
このように、光ＢＬ１に光ＢＬ２が加わった光量の大きな光が、ベゼル表示板７４に照射されることにより、機器本体１０Ｂを表側から見たときの透過光の量が多くなり、文字や記号などの表示マーク（光透過部）をより明るくすることができる。これにより、表示マークを、より鮮明に、より効果的に表示させることができるとともに、例えば色や色調の可変量を大きくさせることができ、表示の機能性やデザイン性の向上も図ることができる。
【０１００】
（表示の応用例）
上述した図２および図４に示されている見切り板７２やベゼル７５（ベゼル表示板７４）による表示は、他の表示方法（表示例）を適用することができる。以下、図面を参照して、見切り板７２やベゼル７５（ベゼル表示板７４）に係る表示の応用例について説明する。なお、以下の説明では、上述した実施形態と同様な構成について、同符号を付し、その説明を省略する。
【０１０１】
（応用例１）
先ず、表示の応用例１について、図１０Ａおよび図１０Ｂを参照して説明する。図１０Ａは、応用例１の表示例を示すリスト機器の平面図であり、図１０Ｂは、応用例１において、図１０Ａの状態から変化した表示状態を示す平面図である。
【０１０２】
応用例１に係る表示例を適用した機器本体１０Ｃは、図１０Ａおよび図１０Ｂに示すように、トップケース３０の表側の外縁部に、見切り板７２Ｃとベゼルを構成するベゼル表示板７４Ｃとを備えている。そして、見切り板７２Ｃの外周縁、およびベゼル表示板７４Ｃの外周縁には、それぞれリング状の光透過部である、見切りリング６１（図１０Ｂ参照）、およびベゼルリング６２（図１０Ｂ参照）が設けられている。
【０１０３】
見切り板７２Ｃに設けられた見切りリング６１、およびベゼル表示板７４Ｃに設けられたベゼルリング６２は、光源６０（図４参照）から射出された光を透過し、いずれか一方、もしくは双方を点灯させたり、点滅させたりすることができる。なお、見切りリング６１、およびベゼルリング６２は、それぞれの色を変えたり、色調や明るさを変えたりすることができる。なお、図１０Ｂには、見切りリング６１、およびベゼルリング６２の点灯状態を、白線で示している。
【０１０４】
このような、リング状の表示マーク（見切りリング６１、およびベゼルリング６２）を備えることにより、見切り板７２Ｃおよびベゼル表示板７４Ｃの全周に亘り、点灯（光透過）されるため、見切り板７２Ｃおよびベゼル表示板７４Ｃの表示マークを視認し易くなる。また、２つのリング状の表示マーク（見切りリング６１、およびベゼルリング６２）を、交互に点灯するなど点灯を組み合わせたりイベント時に点滅させたりするなど、見映えのよい表示デザインを適用することができる。
【０１０５】
なお、上述の例示では、リング状の光透過部である、見切りリング６１、およびベゼルリング６２を、見切り板７２Ｃの外周縁、およびベゼル表示板７４Ｃの外周縁に設ける構成を説明したが、これに限らない。見切りリング６１、およびベゼルリング６２は、見切り板７２Ｃの外周縁と内周縁との間の中央部分、およびベゼル表示板７４Ｃの外周縁と内周縁との間の中央部分、もしくは見切り板７２Ｃの内周縁、およびベゼル表示板７４Ｃの内周縁に設ける構成でもよい。
【０１０６】
（応用例２）
次に、表示の応用例２について、図１１Ａおよび図１１Ｂを参照して説明する。図１１Ａは、応用例２の表示例を示すリスト機器の平面図であり、図１１Ｂは、図１１Ａの状態から変化した応用例２の表示状態を示す平面図である。
【０１０７】
応用例２に係る表示例を適用した機器本体１０Ｄは、図１１Ａに示すように、トップケース３０の表側に、見切り板７２Ｄを備えている。そして、見切り板７２Ｄには、図１１Ａに示すように中央発光部６６、その両側にそれぞれ配置された第１発光部６７、および第１発光部６７の両側にそれぞれ配置された第２発光部６８Ａ，６８Ｃとを備えた表示マークとしてのインジケーター６５Ａが設けられている。なお、図１１Ａの表示例は、中央発光部６６と、およびその両側の第１発光部６７とが点灯している状態を示している。
【０１０８】
インジケーター６５Ａは、その点灯状態によって、例えば動作強度（レベル）の大小を表したり、検知状態のレベルの高低を表したりすることができる。図１１Ｂには、図１１Ａの状態から、点灯状態の変化したインジケーター６５Ｂが示されている。具体的に、図１１Ａでは不点灯であった第２発光部６８Ａ，６８Ｃが、図１１Ｂに示す例では、第２発光部６８Ｂ，６８Ｄで示す点灯状態（白基調の表示）となっている。
【０１０９】
インジケーター６５Ａを構成する中央発光部６６、第１発光部６７、および第２発光部６８Ａ，６８Ｃは、光源６０（図４参照）から射出された光を透過し、いずれか一方、もしくは双方を点灯させたり、点滅させたりすることができる。なお、中央発光部６６、第１発光部６７、および第２発光部６８Ａ，６８Ｃは、それぞれの色、色調、もしくは明るさなどを、それぞれ異ならせることができるし、部位ごとに同じ状態とすることもできる。
【０１１０】
このようなインジケーター６５Ａを設けることにより、動作強度（レベル）の大小を表したり、検知レベルの高低を表したりすることができる。また、中央発光部６６、第１発光部６７、および第２発光部６８Ａ，６８Ｃを、交互に点灯させるなど、色々な点灯仕様を実現することができ、表示デザインの多様化や表示の点灯のバリエーションをより広げることができる。
【０１１１】
（応用例３）
次に、表示の応用例３について、図１２Ａおよび図１２Ｂを参照して説明する。図１２Ａは、応用例３の表示例を示すリスト機器の平面図であり、図１２Ｂは、図１２Ａの状態から変化した応用例３の表示状態を示す平面図である。
【０１１２】
応用例３に係る表示例を適用した機器本体１０Ｅは、図１２Ａに示すように、トップケース３０の表側に、見切り板７２Ｅを備えている。そして、見切り板７２Ｅには、図１２Ａに示すように、第１のバンド部３２および第２のバンド部３７の配置方向と直交する方向において、表示部７０Ｅを挟んだ両側にインジケーター（第１のインジケーター５０Ａ、および第２のインジケーター５５Ａ）が設けられている。
【０１１３】
第１のインジケーター５０Ａ、および第２のインジケーター５５Ａには、それぞれ６個の発光部を備えている。発光部は、（発光状態（本例では白表示）を示す発光部５１と、不発光状態（本例では黒表示）を示す発光部５２とによって構成されている。具体的に、本例では、図１２Ａに示すように、第１のインジケーター５０Ａは、２個の発光状態の発光部５１と４個の不発光状態の発光部５２とを有し、第２のインジケーター５５Ａは、１個の発光状態の発光部５１と５個の不発光状態の発光部５２とを有している。
【０１１４】
第１のインジケーター５０Ａ、および第２のインジケーター５５Ａは、前述の応用例２と同様に、その点灯状態によって、例えば動作強度（レベル）の大小を表したり、検知状態のレベルの高低を表したりすることができる。図１２Ｂには、図１２Ａの状態から、点灯状態の変化した第２のインジケーター５５Ｂが示されている。具体的に、図１２Ｂでは、第１のインジケーター５０Ｂでは、発光状態の発光部５１が２個増えて４個となり、第２のインジケーター５５Ｂでは、発光状態の発光部５１が４個増えて５個となっている。
【０１１５】
第１のインジケーター５０Ｂ、および第２のインジケーター５５Ｂを構成する発光部５１，５２は、光源６０（図４参照）から射出された光を透過させることによって光ることができる。第１のインジケーター５０Ｂ、および第２のインジケーター５５Ｂは、それぞれ異なる表示機能とすることができる。そして、第１のインジケーター５０Ｂ、および第２のインジケーター５５Ｂは、それぞれの発光部５１，５２を点灯させたり、点滅させたり、不点灯としたりすることができる。なお、発光部５１，５２は、それぞれの色、色調、もしくは明るさなどを、それぞれ異ならせることができるし、部位ごとに同じ状態とすることもできる。
【０１１６】
このように、本応用例３に係る機器本体１０Ｅでは、表示部７０Ｅを挟んだ両側にインジケーター（第１のインジケーター５０Ａ、および第２のインジケーター５５Ａ）が設けられていることにより、例えば動作強度（レベル）の大小や検知レベルの高低など、種々の状態に対応したレベル表示を同時に表示することができる。また、発光部５１，５２を、交互に点灯させるなど、色々な点灯仕様を実現することができ、表示デザインの多様化や表示の点灯のバリエーションを、より広げることができる。
【０１１７】
（応用例４）
次に、表示の応用例４について、図１３Ａおよび図１３Ｂを参照して説明する。図１３Ａは、応用例４の表示例を示すリスト機器の平面図であり、図１３Ｂは、応用例４において、図１３Ａの状態から変化した表示状態を示す平面図である。
【０１１８】
応用例４に係る表示例を適用した機器本体１０Ｆは、図１３Ａおよび図１３Ｂに示すように、トップケース３０の表側の外縁部に、ベゼルを構成するベゼル表示板７４Ｆを備えている。そして、ベゼル表示板７４Ｆには、表示マークとして文字や記号を配したベゼル表示部６３が、リング状のベゼル表示板７４Ｆの４か所に設けられている。
【０１１９】
ベゼル表示部６３を構成する文字や記号は、光透過部であり、光源６０（図４参照）から射出された光を透過し、４か所の内のいずれか一つ、もしくは二つから四つを点灯させたり、点滅させたりすることができる。なお、ベゼル表示部６３を構成する文字や記号は、それぞれの色を変えたり、色調や明るさを変えたりすることができる。なお、図１３Ｂには、四つのベゼル表示部６３が点灯した状態を、白色の文字、もしくは白色の記号で示している。
【０１２０】
このような、ベゼル表示部６３を構成する文字や記号をベゼル表示板７４Ｆに設け、点灯（光透過）されるため、ベゼル表示板７４Ｆの表示マークを視認し易くなる。また、ベゼル表示板７４Ｆの複数の表示マーク（ベゼル表示部６３）を、交互に点灯するなど点灯を組み合わせたりイベント時に点滅させたりするなど、見映えのよい表示デザインを適用したり、表示デザインのバリエーションを広げたりすることができる。
【０１２１】
（応用例５）
次に、表示の応用例５について、図１４Ａおよび図１４Ｂを参照して説明する。図１４Ａは、応用例５の表示例を示すリスト機器の平面図であり、図１４Ｂは、応用例５において、図１４Ａの状態から変化した表示状態を示す平面図である。
【０１２２】
応用例５に係る表示例を適用した機器本体１０Ｇは、図１４Ａおよび図１４Ｂに示すように、トップケース３０の表側の表示部７０Ｇの外縁部に、リング状の見切り板７２Ｇを備えている。そして、見切り板７２Ｇには、表示マークとして文字や記号を配した機能マーク６４Ａ，６４Ｂが４か所に設けられている。
【０１２３】
機能マーク６４Ａ，６４Ｂを構成する文字や記号は、光透過部であり、光源６０（図４参照）から射出された光を透過し、４か所の内のいずれか一つ、もしくは二つから四つを点灯させたり、点滅させたりすることができる。なお、機能マーク６４Ａ，６４Ｂを構成する文字や記号は、それぞれの色を変えたり、色調や明るさを変えたりすることができる。なお、図１４Ｂには、不点灯の状態の機能マーク６４Ａと、点灯した状態（光る状態）の三つの機能マーク６４Ｂとが示され、点灯状態を白色の文字もしくは白色の記号で示し、不点灯の状態を黒色の文字もしくは黒色の記号で示している。
【０１２４】
このような機能マーク６４Ａ，６４Ｂは、機能マーク６４Ａ，６４Ｂを構成する文字や記号を見切り板７２Ｇに設けて点灯（光透過）されるため、見切り板７２Ｇの表示マークを視認し易くなる。また、見切り板７２Ｇの複数の表示マーク（機能マーク６４Ａ，６４Ｂ）を、交互に点灯するなど点灯を組み合わせたりイベント時に点滅させたりするなど、見映えのよい表示デザインを適用したり、表示デザインのバリエーションを広げたりすることができる。
【０１２５】
（応用例６）
次に、表示の応用例６について、図１５Ａおよび図１５Ｂを参照して説明する。図１５Ａは、応用例６の表示例を示すリスト機器の平面図であり、図１５Ｂは、応用例６において、図１５Ａの状態から変化した表示状態を示す平面図である。
【０１２６】
応用例６に係る表示例を適用した機器本体１０Ｈは、図１５Ａに示すように、トップケース３０の表側に位置する表示部７０ＨＡの外縁部に、リング状の見切り板７２ＨＡを備えている。見切り板７２ＨＡには、表示マークとして文字や記号を配した機能マーク６４Ｈが、４か所に設けられている。そして、表示部７０ＨＡおよび見切り板７２ＨＡは、それぞれに照度を落とした状態が適用されている。このように照度を落とした状態での使用により消費電力を抑えることができる。
【０１２７】
図１５Ｂには、照度を上げて明るくした状態の表示部７０ＨＢおよび見切り板７２ＨＢが示されている。より視認性を向上させる必要の生じた場合は、表示部７０ＨＢおよび見切り板７２ＨＢの少なくとも一方の照度を上げることができる。機能マーク６４Ｈは、見切り板７２ＨＢが明るくなったことで、より視認性が向上する。
【０１２８】
見切り板７２ＨＡは、機能マーク６４Ｈを除き、透光性を有する光透過部であり、光源６０（図４参照）から射出された光を透過し、光っている状態の見切り板７２ＨＢとすることができる。したがって、見切り板７２ＨＡは、明るくしたり、暗くしたり、点滅させたりすることができる。なお、見切り板７２ＨＡは、色を変えたり、色調や明るさを変えたりすることができる。また、表示部７０ＨＡにおいても、明るくしたり、暗くしたり、点滅させたりすることができる。
【０１２９】
このような構成では、見切り板７２ＨＡの全体が光る（見切り板７２ＨＢ）ことから、暗い環境下での使用であっても、表示マークの視認性を向上させることができる。また、見切り板７２ＨＡの色や色調を任意に設定することが可能となり、デザイン性を向上させたり、表示デザインのバリエーションを広げたりすることができる。
【０１３０】
上述では、ユーザー（装着者）の所与の部位に装着される携帯型の電子機器として、ユーザーの手首に装着されるリスト機器を例示して説明したが、次のような装着例を例示することができる。携帯型の電子機器としては、例えば首に掛けるネックレス様の構成、胴体や足首などに装着する構成、もしくは携帯型情報端末のようにユーザーがポケットやバッグの中に保持する構成などであってもよい。
【０１３１】
なお、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【符号の説明】
【０１３２】
１…携帯型の電子機器としてのリスト機器、１０，１０Ａ，１０Ｂ…機器本体、３０…トップケース、３１…凹部、３１ａ…第１壁部、３１ｂ…第２壁部、３２…第１のバンド部、３３…ボトムケース、３４…突起部、３５…導光孔、３６…内部空間、３７…第２のバンド部、３８…段部、６０…光源、７０…表示部、７１…風防板（ガラス板）、７２…第３部材としての見切り板、７２ｆ…表面、７２ｒ…裏面、７３…第１部材としてのベゼル本体部、７４…第２部材としてのベゼル表示板、７４ａ…庇部、７４ｆ…表面、７４ｒ…裏面、７５…ベゼル、７６…ベゼル表示部、７６ａ…文字、７６ｂ…記号（絵文字）、７６ｃ…目盛、７７…機能マーク、７７ａ…文字、７７ｂ…記号（絵文字）、７８…ベゼル凹部、７９…導光孔、８０，８１…操作ボタン、９０…表示パターン、９１…遮光部（半透光部）、ＢＬ…光。
【図１】
2018004553.tif 000003
【図２】
2018004553.tif 000004
【図３】
2018004553.tif 000005
【図４】
2018004553.tif 000006
【図５Ａ】
2018004553.tif 000007
【図５Ｂ】
2018004553.tif 000008
【図６Ａ】
2018004553.tif 000009
【図６Ｂ】
2018004553.tif 000010
【図７Ａ】
2018004553.tif 000011
【図７Ｂ】
2018004553.tif 000012
【図８】
2018004553.tif 000013
【図９】
2018004553.tif 000014
【図１０Ａ】
2018004553.tif 000015
【図１０Ｂ】
2018004553.tif 000016
【図１１Ａ】
2018004553.tif 000017
【図１１Ｂ】
2018004553.tif 000018
【図１２Ａ】
2018004553.tif 000019
【図１２Ｂ】
2018004553.tif 000020
【図１３Ａ】
2018004553.tif 000021
【図１３Ｂ】
2018004553.tif 000022
【図１４Ａ】
2018004553.tif 000023
【図１４Ｂ】
2018004553.tif 000024
【図１５Ａ】
2018004553.tif 000025
【図１５Ｂ】
2018004553.tif 000026